(57)【要約】【課題】用紙の搬送を妨げることなく、有効な結露対策を行うことのできる画像形成装置を提供すること。【解決手段】この複写機１は、転写ローラ１０６でトナー画像を転写した用紙Ｐを、定着部１０７で熱定着した状態で、その定着ローラ１０７から排出部１０８又は転写ローラ１０６に向かう搬送路で搬送するものであって、この搬送路は、定着ローラ１０７から上方に向かう縦搬送路１０９と、この縦搬送路１０９の上端から直角方向に延びる横搬送路１１５とから構成され、この横搬送路１１５の上部構造１１５ａに、断熱シート１１６を介してＰＥＴフィルム１１７を貼り付けてなっている。【選択図】図４
2007091382.tif 000002
【特許請求の範囲】
【請求項１】
転写部でトナー画像を転写した用紙を熱定着する定着部と、この熱定着した用紙を前記定着部から所定位置に搬送する搬送路とを備えた画像形成装置において、
前記搬送路の内壁に非接触状態で合成樹脂フィルムを配設することにより、該合成樹脂フィルムの表面に沿って前記用紙が搬送されるように構成したことを特徴とする画像形成装置。
【請求項２】
前記搬送路は、定着部から上方に向かう縦搬送路と、この縦搬送路の上端から直角方向に延びる横搬送路とから構成され、この横搬送路の内側上部に、前記合成樹脂フィルムを配設したことを特徴とする請求項１記載の画像形成装置。
【請求項３】
前記横搬送路は、排出部に向かう排出路であり、この排出路の内側上部に、前記合成樹脂フィルムを配設したことを特徴とする請求項２記載の画像形成装置。
【請求項４】
前記横搬送路は、用紙の裏表面の向きを反転して転写部に戻す戻り路であり、この戻り路の内側上部に、前記合成樹脂フィルムを配設したことを特徴とする請求項２記載の画像形成装置。
【請求項５】
前記搬送路の内壁に断熱部材を介して前記合成樹脂フィルムを貼り付けたことを特徴とする請求項１〜４のいずれか１項に記載の画像形成装置。
【請求項６】
前記断熱部材で前記合成樹脂フィルムを片持ち支持させていることを特徴とする請求項５記載の画像形成装置。
【発明の詳細な説明】
【技術分野】
【０００１】
本発明は、プリンタ、複写機、ファクシミリ装置、それらの機能を併せ持つ複合機などの画像形成装置に関する。
【背景技術】
【０００２】
図５は、従来の画像形成装置における用紙排出部まわりの概略構成を示す断面図である。ここでは、両面印刷が可能であって、用紙Ｐの表面に転写部５０１で転写された未定着トナーが定着部５０２で熱定着された後、その用紙Ｐが一旦排出ローラ５０３で排出部５０４側に突出して、排出ローラ５０３の逆転により用紙Ｐの裏面に印刷するために再び転写部５０１に戻る。なお、同図中の５０８は感光体ドラム、５０９はクリーニング装置である。
【０００３】
このとき、定着部５０２で発生した蒸気が下流側のガイド部５０５で結露し、その水滴が用紙Ｐに付着することがあった。そのために、ガイド部５０５の内側に吸水シート５１０を貼り付けたものが提案されている（例えば、特許文献１参照）。
【特許文献１】特開平９−２０４１１２号公報
【発明の開示】
【発明が解決しようとする課題】
【０００４】
上記特許文献１では、下流側のガイド部５０５のうち、専ら定着部５０２から上方に向かう縦搬送路５０６の内側に不織紙等の吸水シート５１０を貼り付けているが、結露現象はむしろ縦搬送路５０６の上端で直角方向に向かう横搬送路５０７の内側上部で生じやすい。その理由は、横搬送路５０７が定着部５０１から離れているから、寒冷地や冬季における運転開始時に用紙Ｐとの間で温度差を生じやすいことによる。したがって、縦搬送路５０６の内側に不織紙等の吸水シート５１０を貼り付けただけでは、有効な結露防止を行うことができない。
【０００５】
たとえ図６に示すように、上記防水シート５１０を横搬送路５０７の内側上部に貼り付けたとしても、縦搬送路５０６が、その上端で横搬送路５０７の内側上部に突き当たる部位（図６中の丸で囲んだ部位Ｄ）で用紙Ｐが屈曲されてその用紙Ｐの弾性復帰力により、用紙Ｐの先端が横搬送路５０７の内側上部に押し付けられる。このため、上記防水シート５１０を横搬送路５０７の内側上部に貼り付けただけでは、用紙Ｐと吸水シート５１０との間での摩擦抵抗が大きくなり、用紙Ｐの搬送を妨げることとなる。
【０００６】
また上記図６において、片面印刷時には、用紙Ｐが横搬送路５０７を通過してそのまま排出部５０４に排出されるから（図６中のＡ方向からＢ方向に向かう場合である）、たとえ用紙Ｐが前記結露現象によって印刷面の裏面側が濡れた状態となったとしても、その印刷面の画像自体に影響を与えることは少ないが、両面印刷時には、用紙Ｐが横搬送路５０７から搬送ローラ５１１，５１２で再び転写部５０１に戻されて（図６中のＡ方向からＣ方向に向かう場合である）、その濡れた裏面側に転写部５０１で画像が転写されるから、その転写画像の不具合が発生するおそれがある。
【０００７】
本発明は、このような事情に鑑みてなされたもので、用紙の搬送を妨げることなく、有効な結露対策を行うことのできる画像形成装置を提供することを目的とする。
【課題を解決するための手段】
【０００８】
本発明は、転写部でトナー画像を転写した用紙を熱定着する定着部と、この熱定着した用紙を所定位置に搬送する搬送路とを備えた画像形成装置において、前記搬送路の内壁に非接触状態で合成樹脂フィルムを配設することにより、該合成樹脂フィルムの表面に沿って前記用紙が搬送されるように構成したことを特徴とするものである。
【０００９】
なお、断熱部材には不織紙などを含み、また合成樹脂フィルムにはＰＥＴ（ポリエチレンフタレート）フィルムなどを含む。
【００１０】
請求項２記載の発明のように、前記搬送路は、定着部から上方に向かう縦搬送路と、この縦搬送路の上端から直角方向に延びる横搬送路とから構成され、この横搬送路の内側上部に、前記合成樹脂フィルムを配設することが好ましい。
【００１１】
請求項３記載の発明のように、前記横搬送路は、排出部に向かう排出路であり、この排出路の内側上部に、前記合成樹脂フィルムを配設することが好ましい。
【００１２】
請求項４記載の発明のように、前記横搬送路は、用紙の裏表面の向きを反転して転写部に戻す戻り路であり、この戻り路の内側上部に、前記合成樹脂フィルムを配設することが好ましい。
【００１３】
請求項５記載の発明のように、前記搬送路の内壁に断熱部材を介して前記合成樹脂フィルムを貼り付けることが好ましい。
【００１４】
請求項６記載の発明のように、前記断熱部材で前記合成樹脂フィルムを片持ち支持させることが好ましい。
【発明の効果】
【００１５】
本発明によれば、前記搬送路の内壁に非接触状態で合成樹脂フィルムが配設され、該合成樹脂フィルムの表面に沿って前記用紙が搬送される。この合成樹脂フィルムは極薄で熱容量が小さいため、定着部で熱定着された用紙によって非常に短い時間で加熱される。したがって、搬送されてくる用紙と合成樹脂フィルムとの接触により、両者間の温度差が直ちになくなり、合成樹脂フィルムの表面に結露を生じることがなくなる。
【００１６】
しかも、合成樹脂フィルムの表面は滑らかであるのでその摩擦係数は、不織紙などの摩擦係数に比べて非常に小さい。したがって、合成樹脂フィルムと接触する用紙の搬送をスムーズに行うことができる。その結果、用紙の搬送を妨げることなく、有効な結露対策を講じることができる。
【００１７】
ところで、特に、定着部からの上方に向かう縦搬送路が、その上端で直角方向に向かう横搬送路に突き当たる部位で用紙の搬送が妨げられることが多い。その理由は、当該部位における用紙の屈曲に対する弾性復帰力により、その用紙の先端が横搬送路の内側上部に押し付けられるため、ストレート部分に比べて接触抵抗が非常に大きくなるからと考えられる。
【００１８】
そこで、請求項２記載の発明によれば、前記搬送路は、定着部から上方に向かう縦搬送路と、この縦搬送路の上端から直角方向に延びる横搬送路とから構成され、この横搬送路の内側上部に、前記合成樹脂フィルムが配設されているので、縦搬送路から横搬送路に入る用紙は、この合成樹脂フィルムと接触してスムーズに搬送される。
【００１９】
例えば請求項３記載の発明によれば、前記横搬送路は、排出部に向かう排出路であり、この排出路の内側上部に、前記合成樹脂フィルムが配設されているので、排出部に向かう用紙は、この合成樹脂フィルムと接触してスムーズに搬送される。
【００２０】
或いは請求項４記載の発明によれば、前記横搬送路は、用紙の裏表面の向きを反転して転写部に戻す戻り路であり、この戻り搬送路の内側上部に、前記合成樹脂フィルムが配設されているので、転写部に戻る用紙は、この合成樹脂フィルムと接触してスムーズに搬送される。
【００２１】
また請求項５記載の発明によれば、前記搬送路の内壁に断熱部材を介して前記合成樹脂フィルムが貼り付けられているので、搬送路の内壁と合成樹脂フィルムとの非接触状態が確保される。したがって、合成樹脂フィルムは搬送されてくる用紙によって短時間に加熱されるため、より確実な結露対策を講じることができる。
【００２２】
例えば請求項６記載の発明によれば、前記断熱部材で前記合成樹脂フィルムが片持ち支持されているので、搬送路の内壁と合成樹脂フィルムとの非接触状態が確保される。したがって、合成樹脂フィルムは搬送されてくる用紙によって短時間に加熱されるため、より確実な結露対策を講じることができる。
【発明を実施するための最良の形態】
【００２３】
図１は、本発明の一実施形態に係る複写機の内部構成を主に示す模式図である。
【００２４】
図１に示すように、この実施形態に係る複写機（画像形成装置の一例）１は、それぞれ本体ハウジング２内或いはその上に配置される画像形成部１００、原稿給送部２００、原稿読取部３００、給紙部４００及び操作表示部５００から構成されている。
【００２５】
原稿読取部３００は、原稿の読み取りを行って当該原稿に対応する画像データを生成するものであって、光学的に取得した原稿の画像から画像データを生成するＣＣＤ（Charge Coupled Device）センサ及び露光ランプ等を備えたスキャナ３０１などからなり、その上面に、装置原稿読み取り用の第１コンタクトガラス３０２と、ＡＤＦ原稿読み取り用の第２コンタクトガラス３０３とを備えている。
【００２６】
原稿給送部２００（ＡＤＦ）は、原稿読取部３００へ原稿を給送するものであって、原稿を載置する原稿トレイ２０１、搬入ローラ等を備え原稿トレイ２０１から原稿を搬入させる搬入駆動部２０２、搬送経路２０３中の原稿を搬送する搬送ローラ２０４、搬送ローラ２０４により搬送されてきた原稿を排出させる排出ローラ２０５、及び排出ローラ２０５により排出された原稿を載置（積載）する原稿排出トレイ２０８等を備えている。
【００２７】
給紙部４００は、画像形成部１００に対して用紙の給紙を行うものであって、各サイズの用紙（記録紙）が収納される給紙カセット４０１，４０２、これら給紙カセット４０１，４０２から画像形成部１００へ用紙を搬送する搬送経路４０３を備えている。各給紙カセット４０１，４０２は、収納されている用紙を取り出すためのピックアップローラ４０４，４０５、用紙を１枚ずつ各搬送経路に送り出す給紙ローラ４０６，４０７を備えている。搬送経路４０３には、用紙を搬送する搬送ローラ４０８、及び搬送されてきた用紙を画像形成部１００の手前で待機させるためのレジストローラ４０９が設けられている。
【００２８】
なお、給紙部４００には、本体ハウジング２の一側方部（右側方部）に開閉自在に構成された手差しトレイ等からなる手差し給紙部（図略）を備えていてもよく、この場合、手差し給紙部からの用紙搬送経路はレジストローラ４０９の上流側で合流するように構成される。
【００２９】
画像形成部１００は、給紙部４００によって搬送されてきた用紙に対して所定の画像を形成する（印刷する）ものであって、同図中に示す矢印方向に回転可能に支持された感光体ドラム１０１、この感光体ドラム１０１の周囲に配設された帯電部１０２、現像部１０３、クリーニング部１０４、レーザ走査ユニット１０５及び転写ローラ（転写部）１０６、転写ローラ１０６の下流側に配設された定着ローラ（定着部）１０７を備えている。
【００３０】
帯電部１０２は、感光体ドラム１０１の表面を所定電位に均一に帯電させるものである。レーザ走査ユニット１０５は、前記画像データに基づき、レーザービームを感光体ドラム１０１の表面に照射し、感光体ドラム１０１表面に静電潜像を形成するものである。現像部１０３は、静電潜像にトナーを付着させて画像（原稿画像）を顕在化させるものである。転写ローラ１０６は、搬送されてきた用紙を感光体ドラム１０１に押し付けた状態で、感光体ドラム１０１上に顕在化したトナー像を当該用紙に転写するものである。
【００３１】
定着ローラ１０７は、用紙に転写されたトナー像を定着させるものである。定着ローラ１０７は、ヒートローラ及び圧ローラとからなり、このヒートローラの熱によって用紙上のトナーを溶かし、圧ローラによって圧力をかけてトナーを用紙上に定着させる。クリーニング部１０４は、用紙への画像の転写が終了した後、感光体ドラム１０１の表面に残留しているトナーを清掃するものである。
【００３２】
本体ハウジング２の上部には、排出されてきた用紙を積載する用紙排出トレイ（排出部）１０８が設けられており、定着ローラ１０７から縦搬送路１０９を介して搬送されてきた用紙は、横搬送路１１５の排出ローラ１１０によって前記用紙排出トレイ１０８上へ排出される。この横搬送路１１５の上部内側には、本発明の特徴である断熱シート１１６とＰＥＴフィルム１１７とが貼設されている（後述）。
【００３３】
排出ローラ１１０は、用紙に両面印刷を行う場合等において、定着ローラ１０７側から搬送されてきた用紙の裏表面の向きを反転させるべく逆回転可能な構成とされている（排出ローラ１１０は反転ローラを兼ねている）。排出ローラ１１０は、定着ローラ１０７側から搬送されてきた用紙を、この用紙の後端部側が排出ローラ１１０の位置辺りにくるまで搬送し、すなわち用紙の先端側を排出ローラ１１０外へ一旦排出させ、その後、排出ローラ１１０を逆回転させてこの用紙の排出部分を排出ローラ１１０内へ引き込む（搬入させる）。
【００３４】
排出ローラ１１０内へ引き込まれた用紙は、搬送ローラ１１１や搬送ローラ１１２によって搬送経路１１３を搬送され、再度、画像形成部１００（レジストローラ４０９）へ向けて送られる。このようにして、裏表面が反転された用紙の裏面（最初に画像形成された面を表面としている）に対して画像形成が行われ、両面が印刷されたこの用紙は、再度、定着ローラ１０７及び排出ローラ１１０を介して用紙排出トレイ１０８上へ排出される。
【００３５】
なお、定着ローラ１０７から排出ローラ１１０へ向けての搬送方向、及び用紙反転における排出ローラ１１０から搬送経路１１３（搬送ローラ１１１，１１２）へ向けての搬送方向の切り替えは、分岐ガイド１１４により行われる構成となっている。このように、複写機１は、排出ローラ１１０や搬送ローラ１１１，１１２及び搬送経路１１３等によって、用紙反転を行うためのスイッチバック機構を構成している。
【００３６】
操作表示部５００は、ユーザの操作に応じて所定の指示入力を行うものであって、ユーザが印刷実行指示を入力するためのスタートキー５０１と、印刷部数等を入力するためのテンキー５０２と、各種複写動作の設定等を入力するための操作ガイド情報等を表示するとともに、種々の操作ボタン等が表示される液晶表示器（ＬＣＤ）等からなる表示器５０３（ディスプレイ）とを備えている。
【００３７】
図２は縦搬送路と横搬送路との連絡部分を示す模式図である。
【００３８】
図２に示すように、排出ローラ１１０と搬送ローラ１１１との間には横搬送路１１５が設けられており、この横搬送路１１５に突き当たるように定着ローラ１０７からの縦搬送路１０９が設けられている。ここでは、定着ローラ１０７から排出ローラ１１０へ向けての搬送方向へ向けての搬送方向への切り替えが、図１の分岐ガイド１１４により行われている場合を示している。この横搬送路１１５の内側上部には、断熱シート（断熱部材）１１６を介してＰＥＴフィルム（合成樹脂フィルム）１１７が貼設されている。
【００３９】
図３は横搬送路の上部構造を示す斜視図、図４はその上部構造への断熱シートとＰＥＴフィルムの貼り付け方法を示す分解斜視図である。なお、図３，４において、用紙の搬入方向（図３中のＡ方向）を上下方向、用紙の搬出方向（図３中のＢ又はＣ方向）を左右方向、それらに直角な方向を前後方向という。
【００４０】
図３，図４に示すように、横搬送路１１５の上部構造１１５ａは、全体が長尺をなす筐体（直方体状）に形成されており、この横搬送路１１５の上部構造１１５ａは、図示しない下部構造と合体された状態で、図２の縦搬送路１０９と連結される。そして、縦搬送路１０９から搬送されてくる用紙Ｐは、必ずこの横搬送路１１５を経由して用紙排出トレイ１０８又はスイッチバック機構に導かれるようになっている。また、上部構造１１５ａと前記下部構造とに、排出ローラ１１０と搬送ローラ１１１とをそれぞれ対向配置しており（図３，図４では上ローラ１１０ａ，１１１ａのみを示している）、この排出ローラ１１０で用紙排出トレイ１０８に用紙Ｐを排出し、搬送ローラ１１１でスイッチバック機構に用紙を搬送するようになっている。
【００４１】
すなわち、上部構造１１５ａの左右両側には、それぞれ前後方向に延びるローラ軸１１０ｂ，１１１ｂがその前後両端部で回転自在に軸支されており、各ローラ軸１１０ｂ，１１１ｂに所定間隔で排出ローラ１１０の上ローラ１１０ａと搬送ローラ１１１の上ローラ１１１ａとがそれぞれ４つずつ取り付けられている。ローラ軸１１０ｂの前後端には、それぞれプーリ１１０ｃ，１１０ｄが取り付けられており、ローラ軸１１１ｂの後端には、プーリ１１１ｃが取り付けられている。また、プーリ１１０ｄ，１１１ｃ間には、環状ベルト１１８が周回可能に捲きかけられている。
【００４２】
そして、片面印刷時には、プーリ１１０ｃが図示しないモータで回転駆動されると、その回転力がローラ軸１１０ｂを介して排出ローラ１１０の上ローラ１１０ａに伝達され、図３中のＡ方向から搬入されてきた用紙Ｐがこの上ローラ１１０ａに対向配置されている図示しない下ローラとの間にはさみこまれた状態で図３中のＢ方向に排出される（排出路）。
【００４３】
上記回転力は、プーリ１１０ｄから環状ベルト１１８を介してプーリ１１１ｃへと伝達され、さらにローラ軸１１１ｂを介して搬送ローラ１１１の上ローラ１１１ａに伝達されるが、このときには、図１の分岐ガイド１１４の働きで、用紙Ｐは搬送ローラ１１１の上ローラ１１１ａと接触することはない。
【００４４】
一方、両面印刷時には、用紙Ｐの先端が排出ローラ１１０で用紙排出トレイ１０８側に一旦突出するが、その直後に前記モータが逆転されるので、その回転力がローラ軸１１０ｂを介して排出ローラ１１０の上ローラ１１０ａに伝達され、図中のＢ方向に排出されかかった用紙Ｐが今度はＣ方向に搬送されるようになる。
【００４５】
すなわち上記逆転時の回転力は、プーリ１１０ｄから環状ベルト１１８を介してプーリ１１１ｃへと伝達され、さらにローラ軸１１１ｂを介して搬送ローラ１１１の上ローラ１１１ａに伝達されるが、このときには、その用紙Ｐは搬送ローラ１１１の上ローラ１１１ａに対向配置された図示しない下ローラとの間にはさみこまれた状態で図中のＣ方向に搬送される（戻り路）。
【００４６】
ここで、断熱シート（断熱部材）１１６は、図４に示すように、例えば不織布などの吸水シートからなる長尺形状をなしており、両ローラ軸１１０ｂ，１１１ｂ間に挟まれた上部構造１１５ａの筐体部分１１５ｂの前後両側に、それぞれ貼り付けられる。
【００４７】
ＰＥＴフィルム１１７は、断熱シート１１６に対して略同じ長さでかつ幅広の長方形状をなしており、その厚みは０．１２５ｍｍ程度の極薄のものが好ましい。
【００４８】
このＰＥＴフィルム１１７は断熱シート１１６から片持ち支持されるようにその上部に貼設される。すなわち、ＰＥＴフィルム１１７は上記筐体部分１１５ｂから若干浮いた状態（非接触状態）で取り付けられていることになり、したがって、用紙Ｐが横搬送路１１５に搬入されると、その用紙Ｐの先端は前後両側のＰＥＴフィルム１１７の表面に接触するが、ＰＥＴフィルム１１７の表面の摩擦抵抗は非常に小さいので、その用紙ＰはスムーズにＢ又はＣ方向に案内されるようになっている。
【００４９】
引き続いて、本複写機における用紙の排出又は搬送動作について説明する。
【００５０】
まず片面印刷時には、図２に示すように、定着ローラ１０７から縦搬送路１１６で搬送されてきた用紙Ｐの先端は、横搬送路１１５に入る際に、ＰＥＴフィルム１１７に傾斜状態で突き当てられる。この突き当てにより、用紙Ｐの先端はＰＥＴフィルム１１７の表面上を滑って排出ローラ１１０側にスムーズに案内される。
【００５１】
このとき、ＰＥＴフィルム１１７は、定着ローラ１０７で昇温された用紙Ｐにより加熱されるが、断熱シート１１７の働きにより、横搬送路１１５の上部構造１１５ａへの伝熱が妨げられるため、ＰＥＴフィルム１１７だけが速やかに昇温する。したがって、寒冷地や冬季における運転開始時に用紙Ｐと横搬送路１１５との間での温度差が極めて短時間になくなることから、その横搬送路１１５内での結露が防止される。このため、用紙Ｐは結露によって濡れることなく、横搬送路１１５の排出ローラ１１０により、用紙排出トレイ１０８に排出される。
【００５２】
一方、両面印刷時には、横搬送路１１５の排出ローラ１１０により、用紙は一旦用紙排出トレイ１０８側に大きく突出するが、用紙Ｐの後端が縦搬送路１０９から横搬送路１１５に入りきったときに、排出ローラ１１０が逆転する。
【００５３】
この排出ローラ１１０の逆転によって、今度は用紙Ｐが用紙排出トレイ１０８側から搬送ローラ１１１側に搬送されるようになる。このときにも、横搬送路１１５の内部は結露していないから、用紙Ｐはスムーズに搬送ローラ１１１側に案内される。この用紙Ｐは搬送ローラ１１１，１１２でさらに戻り路１１３を介し、かつ、もとの用紙Ｐに対して裏表面の向きが反転された状態となって転写ローラ１０６の下流側に案内される。そして、その用紙Ｐの裏面に再度転写処理が行われる。この後、上記片面印刷時と同様に、両面印刷された用紙Ｐは結露によって濡れることなく、横搬送路１１５の排出ローラ１１０により、用紙排出トレイ１０８に排出される。
【００５４】
以上のように、本実施形態によれば、横搬送路１１５の上部構造１１５ａの筐体部分１１５ｂに、断熱シート１１６を介してＰＥＴフィルム１１７が貼り付けられる。このＰＥＴフィルム１１７は極薄で熱容量が小さいため、定着ローラ１０７で熱定着された用紙Ｐによって非常に短い時間で加熱される。したがって、搬送されてくる用紙ＰとＰＥＴフィルム１１７との接触により、両者間の温度差が直ちになくなり、ＰＥＴフィルム１１７の表面に結露を生じることがなくなる。
【００５５】
しかも、ＰＥＴフィルム１１７の表面は滑らかであるのでその摩擦係数は、不織紙などの摩擦係数に比べて非常に小さい。したがって、ＰＥＴフィルム１１７と接触する用紙Ｐの搬送をスムーズに行うことができる。その結果、用紙Ｐの搬送を妨げることなく、有効な結露対策を講じることができる。
【００５６】
なお、上記実施形態では、複写機１の結露防止について説明したが、その他の画像形成装置（プリンタ等）に本発明を適用できることはもちろんである。
【図面の簡単な説明】
【００５７】
【図１】本発明の一実施形態に係る複写機の内部構成を主に示す模式図である。
【図２】縦搬送路と横搬送路との連絡部分を示す模式図である。
【図３】横搬送路の上部構造を示す斜視図である。
【図４】図３における上部構造への断熱シートとＰＥＴフィルムの貼り付け方法を示す分解斜視図である。
【図５】従来の画像形成装置における搬送路を示す模式図である。
【図６】その結露防止手段を示す模式図である。
【符号の説明】
【００５８】
１  複写機（画像形成装置）
２  本体ハウジング
１００  画像形成部
１０１  感光体ドラム
１０５  レーザ走査ユニット
１０７  定着ローラ（定着部）
１０８  用紙排出トレイ
１０９  縦搬送路（搬送路）
１１０  排出ローラ
１１１  搬送ローラ
１１４  分岐ガイド
１１５  横搬送路（搬送路）
１１６  断熱シート（断熱部材）
１１７  ＰＥＴフィルム（合成樹脂フィルム）
２００  原稿給送部
３００  原稿読取部
４００  給紙部
５００  操作表示部
【図１】
2007091382.tif 000003
【図２】
2007091382.tif 000004
【図３】
2007091382.tif 000005
【図４】
2007091382.tif 000006
【図５】
2007091382.tif 000007
【図６】
2007091382.tif 000008